(57)【要約】【課題】              軒の雨水を円滑に流すようにした簡易な構造の樋装置を提供すること。【解決手段】          この樋装置は、軒に取り付け可能であって、雨水をためる一次樋と、この一次樋に接続され一次樋内の雨水を流すための一次じょうごと、一次樋から溢れた雨水を受ける二次樋と、この二次樋に接続され二次樋内の雨水を流すための二次じょうごとを備えている。【選択図】図１
2006316493.tif 000002
【特許請求の範囲】
【請求項１】
軒に取り付け可能な樋装置であって、雨水をためる一次樋と、該一次樋に接続され一次樋内の雨水を流すための一次じょうごと、前記一次樋から溢れた雨水を受ける二次樋と、該二次樋に接続され前記二次樋内の雨水を流すための二次じょうごとを備えていることを特徴とする樋装置。
【請求項２】
前記二次樋がその内部の雨水を流すための排水口を有することを特徴とする請求項１記載の樋装置。
【請求項３】
前記二次樋は、前記一次樋を囲むように配置され、前記二次じょうごは、前記一次じょうごを囲むように配置されていることを特徴とする請求項１記載の樋装置。
【請求項４】
前記一次樋、一次じょうご、二次樋および二次じょうごは、一つの軸線上に同芯に配置されていることを特徴とする請求項３記載の樋装置。
【発明の詳細な説明】
【技術分野】
【０００１】
本発明は、軒の雨水を流すように軒に取り付けられるようにした樋装置に関するものである。
【背景技術】
【０００２】
従来、屋根板からの雨水を受けるように屋根板の端部に沿って設けられた一次樋と、この一次樋からオーバーフローした雨水を受けるように一次樋の下側に設けられた二次樋とを有する排水装置が知られている（特許文献１参照）。
【０００３】
しかしながら、この特許文献１に記載されている二次樋は、軒に設けられたものでなく、建物の壁面に取り付けられているので、軒自体に取り付けられる樋が望まれている。また、この従来技術では、一次樋の詰まりが生じたとき、その一次樋をオーバーフローした雨水の流れによって異常を認識できるようにしているが、一次樋をオーバーフローした雨水は壁面やじょうごを伝って落ちるので、異常を認識することができないことがあった。更に、上記従来技術では、一次樋、二次樋、更には、じょうごの位置関係を正確に管理しないと、雨水が間違った方向に流れるという可能性があった。
【特許文献１】特公平８−６４１８号
【発明の開示】
【発明が解決しようとする課題】
【０００４】
そこで、本発明の第一の目的は、軒に取り付けることができる樋装置を提供することにある。
【０００５】
本発明の第二の目的は、一次樋をオーバーフローした雨水を軒天から地面に落下させるようにした樋装置を提供することにある。
【０００６】
本発明の第三の目的は、一次樋、二次樋等の位置関係の管理を厳格に行わなくてもよい樋装置を提供することにある。
【課題を解決するための手段】
【０００７】
上記目的を達成するため、本発明に係る樋装置は、軒に取り付け可能な樋装置であって、雨水をためる一次樋と、この一次樋に接続され一次樋内の雨水を流すための一次じょうごと、一次樋から溢れた雨水を受ける二次樋と、この二次樋に接続され二次樋内の雨水を流すための二次じょうごとを備えている。
【０００８】
一実施例では、二次樋は、その内部の雨水を流すための排水口を有する。
【０００９】
例えば、二次樋は、一次樋を囲むように配置され、二次じょうごは、一次じょうごを囲むように配置されている。
【００１０】
一次樋、一次じょうご、二次樋および二次じょうごは、一つの軸線上に同芯に配置されている。
【発明の効果】
【００１１】
本発明によれば、樋装置が軒に取り付け可能であるので、軒の上方からの雨水および屋根から流れてきた雨水を軒から流すことができる。  
【００１２】
二次樋がその内部の雨水を流すための排水口を有するので、一次樋をオーバーフローした雨水を二次じょうごおよび排出口を通して地面に落下させるこができ、その落下音によって一次樋がオーバーフローしていることを認識することができる。
【００１３】
二次樋は、一次樋を囲むように配置され、二次じょうごは、一次じょうごを囲むように配置されているので、雨水の流れる方向を特定すると共に一次樋、二次樋の位置関係の管理が容易である。
【００１４】
更に、一次樋、一次じょうご、二次樋および二次じょうごは、一つの軸線上に同芯に配置されていることによって雨水が円滑に流れることができる。
【発明を実施するための最良の形態】
【００１５】
以下、本発明の実施形態を、この実施形態を具体化した実施例に基づき詳細に述べる。
【００１６】
図１には、本発明に係る樋装置１が軒２に取り付けられた場合の実施例が示されている。尚、この軒２は、通常の態様で建物の屋根３の下方で建物の側面から突出するように設けられている。  
【００１７】
この軒２に取り付けられた樋装置１は、図１に示すように、雨水をためる一次樋４と、この一次樋４に接続され一次樋４内の雨水を流すための一次じょうご５と、一次樋４から溢れた雨水を受ける二次樋６と、この二次樋６に接続され二次樋６内の雨水を流すための二次じょうご７とを備えている。
【００１８】
更に詳細にのべると、図１、図３および図４に示すように、例えば、四角状のベース部材８が、例えば、リベット９によって軒２に固定されている。このベース部材８は、軒２を貫通し軒天２ａから突出する例えば、四角状の堰１０を有する。二次じょうご７は、図示の実施例では、四角状の筒から成り、その一端、即ち、下端部は、この堰１０の内側に液密状態に堅固に嵌合される。従って、二次じょうご７は、軒２にしっかり固定され、且つ二次じょうご７内の雨水が、堰１０の外部に、換言すると、軒天２ａ上に流れ出ることはない。
【００１９】
ベース部材８は、その中央部に設けられて一次じょうご５を貫通させる貫通孔１１を有する。
【００２０】
二次樋６は、その内部の雨水を流すための排水口１２を有する。この排水口１２は、図示の実施例では、ベース部材８の周辺部に設けられた開口から形成されている。従って、二次樋６内の雨水は、二次じょうご７を通ってこの排水口１２から地面に落下するようになっている。
【００２１】
二次樋６は、二次じょうご７の上端に載置され、例えば、適当なシール材、好ましくは、プチルテープ１３によって二次じょうご７に固定される。この二次樋６には一次じょうご５が貫通するための貫通孔１４が設けられている（図２参照）。  
【００２２】
一次樋４は、二次樋６内に配置されてこの二次樋６の内底面６ａに、例えば、ブラケット１５を介して固定される（図１参照）。一次樋４には、この一次樋４内でオーバーフローした雨水を二次樋６に流すためのオーバーフロー開口（図示せず）が設けられている。
【００２３】
一次じょうご５は、ベース部材８の貫通孔１１および二次樋６の貫通孔１４を通って、上端が一次樋４に固定されている。
【００２４】
この一次じょうご５は、最上端に一次樋４内の雨水を下方に流すための導入口１６が設けられている。     
【００２５】
ここで、二次樋６は、図１に示すように、一次樋４を囲むように配置され、二次じょうご７は、一次じょうご５を囲むように配置されている。
【００２６】
また、一次樋４、一次じょうご５、二次樋６および二次じょうご７は、一つの軸線Ｏ（図１参照）上に同芯に配置され、且つ上下方向に直列に配置されていることが留意される。このような配置にすると、構造がコンパクトな樋装置が提供される。
【００２７】
次に、使用状態を簡単にのべると、先ず、軒２の上方からの雨水および屋根３から流れてきた雨水が一次樋４に溜められる。この雨水は、通常では、一次じょうご５を通って地面に落下する。一次樋４を溢れた雨水は、二次樋６に流れ落ち、この二次樋６から二次じょうご７内に流れ、次いで、この二次じょうご７から排水口１２を通って地面に落下する。
【００２８】
上記の如く、一次樋４、一次じょうご５、二次樋６および二次じょうご７は、一つの軸線Ｏ（図１参照）上に同芯に配置され、且つ上下方向に直列に配置されているので、雨水は、上下方向に円滑に流れ落ちることができる。
【００２９】
上述したように、本発明によれば、軒に取り付け可能であり、構造が簡単で雨水の流れが円滑に行え且つ管理が簡単な樋装置を提供することができる。
【００３０】
本発明は、上記実施例に限定されることなく、種々の変形、変更を上記実施例に施すことができる。
【図面の簡単な説明】
【００３１】
【図１】本発明に係る樋装置を建物の軒に取り付けた状態を示す断面図。
【図２】図１に示された樋装置の一次樋、二次樋および二次じょうごの取り付け状態を示す分解斜視図。
【図３】二次じょうごを取り付けるためのベース部材を軒天に固定した状態を示す斜視図。
【図４】図３の状態から、ベース部材を軒天から取り外した状態を示す分解斜視図。
【符号の説明】
【００３２】
２    軒
３    屋根
４    一次樋
５    一次じょうご
６    二次樋
７    二次じょうご
８    ベース部材
１２  排水口
１６  導入口
【図１】
2006316493.tif 000003
【図２】
2006316493.tif 000004
【図３】
2006316493.tif 000005
【図４】
2006316493.tif 000006